(57)【要約】  【課題】  構造が簡単な機械にして、遊技内容が単純で判りやすいものにするとともに、遊技領域に発射された遊技球の入賞のチャンスを増し、大当たりの可能性が同じ遊技領域内で２回与えられるようにして、遊技者の面白味が飛躍的に向上するパチンコ遊技機を提供するものである。  【解決手段】  遊技盤の遊技領域５３に遊技球を発射して遊技が行なわれるパチンコ遊技機において、遊技領域に設けられた入賞口５５〜５８や風車等の遊技役物から落下する遊技球が、入球口６１を横方向に多数備えた横一連入球口装置６２を通過し、最下部のアウト口６５に至る間に、遊技者に不利な状態と有利な状態とに可変する大入賞口装置６４を設け、該大入賞口装置６４は、前記横一連入球口装置６２の入球口６１への入球に基づいて可変するパチンコ遊技機。  【選択図】    図１
2005237510.tif 000002
【特許請求の範囲】
【請求項１】
遊技盤の遊技領域に遊技球を発射して遊技が行なわれるパチンコ遊技機において、
前記遊技領域内に、横方向に多数の入球口を備え上部の遊技領域を通過した遊技球が入球して検知される横一連入球口装置と、
前記遊技領域の最下部に遊技盤上の遊技球を遊技盤裏面へ排出するアウト口と、
前記横一連入球口装置とアウト口との間に大入賞口装置とを設け、
該大入賞口装置は、前記横一連入球口装置の入球検知に基づいて遊技者に不利な状態と有利な状態とに可変することを特徴とするパチンコ遊技機。
【請求項２】
遊技盤の遊技領域に遊技球を発射して遊技が行なわれるパチンコ遊技機において、
遊技盤の遊技領域に設けられ大当たり抽選が行なわれる始動入賞口と、
前記大当たり抽選の結果遊技者に不利な状態と有利な状態とに変化する可変入賞口装置と、
前記始動入賞口装置や可変入賞口装置を備えた上部の遊技領域から落下した遊技球が入球して検知される横方向に多数の入球口を備えた横一連入球口装置と、  
該横一連入球口装置の下部に横一連入球口装置への入球検知に基づいて遊技者に不利な状態と有利な状態とに可変する大入賞口装置と、
前記遊技領域の最下部に遊技盤上の遊技球を遊技盤裏面へ排出するアウト口と、
を設けたことを特徴とするパチンコ遊技機。
【請求項３】
前記可変入賞口装置及び／又は大入賞口装置は、羽根型、箱型、チューリップ型など入賞口の入口に開閉可能な可動片を有し遊技者に不利な状態と有利な状態とに変化する大入賞口からなることを特徴とする請求項１乃至２記載のパチンコ遊技機。
【請求項４】
前記横一連入球口装置及び／又は遊技領域の一部にリセット口が設けられ、該リセット口に遊技球が入球すると前記横一連入球口装置の入球口への入球履歴が初期状態にリセットされることを特徴とする請求項１乃至３記載のパチンコ遊技機。
【発明の詳細な説明】
【技術分野】
【０００１】
本発明はパチンコ遊技機に関し、遊技球が入球通過する入球口を横方向一列に多数設けた横一連入球口装置を遊技盤の遊技領域に備えたパチンコ遊技機に関する。
【背景技術】
【０００２】
１６個の入球口を横方向一列に設けた横一連入球口装置を有するアレンジボール機は、例えば図１２に示す特開平１０−１３７３９２号公報で開示されている。
このものは遊技球を１６個発射して１ゲームが行なわれるアレンジボール機であって、図１２に示すように環状のガイドレール１５に沿って遊技領域２６内に遊技球が発射され、遊技領域２６内には天入球口１６、誘導図柄表示手段１７、特定入賞手段１８、始動用入球口１９、左上入球口２０、右上の得点増加用のチューリップ式入賞手段２１、左右通過口２２、２３、左下入球口２４、右下入球口２５等、各種遊技部品が配置されている。またそれらの下部側に横一連入球口装置２８が配置され、横一連入球口装置２８の各入球口２９には障碍釘２７が配置されている。
【０００３】
始動用入球口１９に遊技球が入賞したときに誘導図柄表示手段１７の３個の図柄が変動を開始し、変動停止した３個の停止図柄が同じ図柄に揃ったときに特定入賞手段１８が開放する。特定入賞手段１８の内部が３分割され、３分割中央の誘導増加領域を遊技球が通過すると、チューリップ式入賞手段２１が所定時間開放する。また特定入賞手段１８に入球すると入賞得点が２倍に増加する増加装置が作動する。
【０００４】
横一連入球口装置２８は、図３、図４の記号３５で示すように、横一列に１６個の入球口２９が配置され、各入球口２９に対応して入球した遊技球を検出する１６個の入球検出スイッチ３０を備え、遊技盤面で入球口２９へ入球した遊技球は裏面の入球検出スイッチ３０を通過して遊技盤裏面の下部へ排出される。
また、図４で示すごとく横一連入球口装置２８の第２番目の入球口２９と左下入球口２４とは裏面通路３２を介して連通しており、即ち遊技球が遊技盤面左下入球口２４に入ると遊技盤裏面で横一連入球口装置２８の第２番目入球口２９に入球し第２番目の入球口検出スイッチ３０を作動し、遊技盤の下部へ排出される。
【０００５】
同様に遊技領域上部の各入球口と下部横一連入球口装置２８の入球口２９とが夫々連通しており、上部の各入球口に入球すると横一連入球口装置入球口２９の各検出スイッチ３０が作動しそれに伴う入球口２９が点灯し、遊技球は裏面下部へ排出される。
このようにして遊技領域上部の入球口２９が下部横一連入球口装置の入球口と関連して横一連入球口装置の入球口２９を点灯し、横一連入球口装置２８の入球口２９が４個連続並んで点灯すると点数が設定され、点数×１６個の賞球が払出されるようになっている。
【０００６】
本願の先行技術文献として次のものがある。
【特許文献１】特開平1０―１３７３９２号公報
【発明の開示】
【発明が解決しようとする課題】
【０００７】
上記のごとく従来の横一連入球口装置２８を備えたアレンジボール機においては、遊技領域内下部に設けた横一連入球口装置と遊技領域内上部の各入球口とが、裏面通路３２を介して関連付けられ、賞球は下部横一連入球口装置２８の入球口２９に４個連続して点灯すると点数が獲得され、入球口２９の点灯位置によって点数が変化し、点数×１６個の割合で賞球が払出される。
従って遊技領域の上部に各種の入球口遊技部品が配置され、この入球口遊技部品と下部の横一連入賞装置の入球口２９とが関連付けされているが、この関連付けが判り難く、また横一連入賞装置の入球口が４箇所連続点灯して賞球が払出され、点灯位置によって点数が変化するようになっているが、遊技内容が複雑で初心者にとっては判り難く、面白味に欠けるものであった。
また遊技機の遊技盤裏面で、遊技領域上部の各入球口と下部横一連入賞装置の入球口２９とが連絡する遊技球通路３２を設けなければならず、遊技機本体の構造が複雑なものとなっていた。
【０００８】
本発明はこのような背景と課題に基づきなされたものであって、その目的は、構造が簡単な機械にして、遊技内容が単純で判りやすいものにするとともに、遊技領域に発射された遊技球の入賞のチャンスを増し、大当たりの可能性が同じ遊技領域内で２回与えられるようにして、遊技者の面白味が飛躍的に向上するパチンコ遊技機を提供するものである。
【課題を解決するための手段】
【０００９】
本発明は上記の目的を達成するためになされたものであって下記構成のパチンコ遊技機である。即ち本発明の請求項１の発明は、遊技盤の遊技領域に遊技球を発射して遊技が行なわれるパチンコ遊技機において、
前記遊技領域内に、横方向に多数の入球口を備え上部の遊技領域を通過した遊技球が入球して検知される横一連入球口装置と、
前記遊技領域の最下部に遊技盤上の遊技球を遊技盤裏面へ排出するアウト口と、
前記横一連入球口装置とアウト口との間に大入賞口装置とを設け、
該大入賞口装置は、前記横一連入球口装置の入球検知に基づいて遊技者に不利な状態と有利な状態とに可変することを特徴とするパチンコ遊技機である。
【００１０】
また請求項２の発明は、遊技盤の遊技領域に遊技球を発射して遊技が行なわれるパチンコ遊技機において、
遊技盤の遊技領域に設けられ大当たり抽選が行なわれる始動入賞口と、
前記大当たり抽選の結果遊技者に不利な状態と有利な状態とに変化する可変入賞口装置と、
前記始動入賞口装置や可変入賞口装置を備えた上部の遊技領域から落下した遊技球が入球して検知される横方向に多数の入球口を備えた横一連入球口装置と、  
該横一連入球口装置の下部に横一連入球口装置への入球検知に基づいて遊技者に不利な状態と有利な状態とに可変する大入賞口装置と、
前記遊技領域の最下部に遊技盤上の遊技球を遊技盤裏面へ排出するアウト口と、
を設けたことを特徴とするパチンコ遊技機である。
【００１１】
また請求項３の発明は、前記可変入賞口装置及び／又は大入賞口装置は、羽根型、箱型、チューリップ型など入賞口の入口に開閉可能な可動片を有し遊技者に不利な状態と有利な状態とに変化する大入賞口からなることを特徴とする請求項１乃至２記載のパチンコ遊技機である。上記において、上部の可変入賞口装置及び／または下部の大入賞口装置は、夫々１個に限らず、例えば上部可変入賞口装置を複数装置設け、下部大入賞口装置を１装置設けて、上部と下部で設置装置数を違えても良い。
【００１２】
請求項4の発明は、前記横一連入球口装置及び／又は遊技領域の一部にリセット口が設けられ、該リセット口に遊技球が入球すると前記横一連入球口装置の入球口への入球履歴が初期状態にリセットされることを特徴とする請求項１乃至３記載のパチンコ遊技機である。
【発明の効果】
【００１３】
本発明の請求項１の発明によれば、遊技盤の遊技領域に遊技球を発射して遊技が行なわれるパチンコ遊技機で、遊技領域に設けられた遊技役物から落下する遊技球が、入球口を横方向に多数備えた横一連入球口装置を通過し、最下部のアウト口に至る間に、遊技者に不利な状態と有利な状態とに可変する大入賞口装置を設け、大入賞口装置は、前記横一連入球口装置の入球口への入球に基づいて可変するから、遊技球は横一連入球口装置の何れかの入球口に入球し遊技領域最下部のアウト口から遊技盤裏面へ排出される。横一連入球口装置とアウト口との間に設けた大入賞口装置は、横一連入球口装置の入球通過した入球口に応じて例えば大入賞口装置が遊技者に有利な状態に開放され大量の賞球が得られる。
即ち横一連入賞口装置の上部で従来の通常のゲームが行なわれた後、上部ゲームの排出遊技球が横一連入賞口装置を通過して更に大入賞口装置を開くチャンスゲームが行なわれ、遊技者にとっては遊技領域の上部と下部で２回の大当たりチャンスゲームが行なわれ、大きな興趣が得られる。
【００１４】
また本発明の請求項２の発明によれば、遊技領域の上部で大当たり抽選が行なわれる始動入賞口と抽選の結果遊技者に有利な状態に可変する可変入賞口装置を有して、例えば上部の始動入賞口へ入賞すると大当たりの抽選が行なわれ抽選結果によって可変入賞口装置が開いて大量の賞球を獲得できるゲームが行なわれる。またこの遊技領域の上部で行なわれた遊技球が何れの入賞口にも入賞せずに遊技領域を落下するが、下部に横一連入球口装置を有するので落下した遊技球が必ず横一連入球口装置の入球口を通過し、通過した入球口の位置によってその下部に設けた大入賞口装置が開放し、遊技球が大入賞口に大量入賞してその結果大量の賞球が払い出される。即ち横一連入賞口装置の上部で従来の通常のゲームが行なわれた後、上部ゲームの排出遊技球が横一連入賞口装置を通過して更に大入賞口装置を開くゲームが行なわれ、遊技者にとっては遊技領域の上部と下部で２回の大当たりチャンスゲームが行なわれ、大きな興趣が得られる。
【００１５】
また本発明の請求項３の発明によれば、上部及び／又は下部可変入賞口装置は、羽根型、箱型、チューリップ型など、入賞口の入口に開閉可能な可動片を有す入賞口であるから、例えば上部の可変入賞口装置はチューリップ型可変入賞口装置に設け、下部の大入賞口装置は箱型の可変大入賞口装置に設けることが出来て、遊技領域の設置位置によってデザインや形状に変化を付ける事ができ、これによって変化のある機械となり、インパクト感が与えられ、大きな興趣が得られるものである。
【００１６】
また本発明の請求項４の発明によれば、前記横一連入球口装置及び／又は遊技領域の一部にリセット口が設けられ、横一連入球口装置の入球口への入球履歴がリセットされる。即ち下部に設置された大入賞口装置が入球口への入球条件で開放するので、それまで入球した入球履歴がリセット口に入球してリセットされると、やり直しとなり、例えばあと１箇所入球すれば大入賞口が開くような場合であっても初期状態に戻ってしまい、スリル感と大きな興趣が得られる。
【発明を実施するための最良の形態】
【００１７】
以下本発明の一実施例について説明する。
図１は本発明の第１実施例を示すパチンコ遊技機である。
本実施例のパチンコ遊技機は遊技盤５０に設けた外レール５１と内レール５２とで遊技領域５３が形成されている。遊技盤５０の下部は前記従来技術と同様に遊技球供給皿、余剰遊技球を貯留する遊技球受け皿、及び発射装置のハンドル等が設けられている。遊技球は発射ハンドルの操作によって遊技領域５３へ発射される。
この遊技領域５３には風車５４、始動入賞口５６、その下部で遊技盤中央部にチューリップ式の可変入賞口装置５６、普通入賞口５７、リセット入賞口５８が設けられ、チューリップ式可変入賞口装置５６の左部に液晶図柄表示装置５９が設けられている。上記各遊技役物装置５４〜５９の間には遊技球を誘導するための障碍釘６０が所定の配置に打設されている。
【００１８】
上記中央部より下部には、入球口６１を横一列に１６個連設する横一連入球口装置６２を設けてある。この横一連入球口装置６２は、上部の遊技領域５３から落下する遊技球の全てが１６個の入球口６１に集まるように両側部に案内部６３を設けてあり、横一連入球口装置６２より上部遊技領域の何れの入賞口５５〜５８にも入賞しなかった遊技球が全部この横一連入賞口装置６２に集合され、１６個のうちの何れかの入球口６１を通過するように設けてある。
尚入球口６１は本実施例では１６個に設けたが、１０個ないし２０個設けても良い。
【００１９】
横一連入賞口装置６２の下部には、開閉扉が前後に開放して大量の賞球が得られる箱型の大入賞口６４を設けてあり、その下部で遊技領域５３の最下部に遊技盤上の全ての遊技球を遊技盤裏面に回収するアウト口６５が配置されている。
また図示省略するが、遊技盤上の各所に装飾ランプやランプ飾りが設けられ、ゲームの進行状況に応じて発光するようになっている。
【００２０】
本実施例のパチンコ遊技機においては、例えば横一連入球口装置６２より上部は通常の遊技機と同様で、例えば各入賞口５５、５６、５７、５８へ入賞すると所定の賞球が払出され、始動入賞口５５へ入賞すると大当たり抽選が行なわれる。抽選の結果大当たりが得られると、チューリップ式可変入賞口装置５６が所定時間又は所定遊技球数入賞するまで開放して大量の賞球が得られるようになっている。抽選状態や抽選結果及びゲームの進行状況は例えば液晶図柄表示装置５９に動画等で表示される。
上記のように遊技領域５３の上部で最初のゲームが行なわれた後、遊技球は障碍釘６０等で誘導され、また横一連入球口装置６２の案内部６３で案内されて、多数の入球口が連接される横一連入球口装置６２の何れかの入球口６１に入球し、下部アウト口６５へ排出される。
【００２１】
各入球口６１には夫々球検知装置が設けられ、また球検知装置の検知によって発光する表示ランプが各入球口に設けられており、遊技者は通過した入球口６１の位置が容易に判る。その下部の大入賞口装置６４が開放する条件は、例えば入球口６１の表示ランプが、１０個以上横並びに連続して発光した場合に大入賞口装置６４が開放するように設けられており、条件が揃うと大入賞口装置が開放して各入球口６１、６１、、、、の点灯表示ランプが消え、初期状態にリセットされる。
また上記のごとく遊技が進行中に遊技領域上部のリセット入賞口５８に入賞すると、横一連入球口装置６２の各入球口６１の入球履歴状態がリセットされ、点灯していた入球表示ランプが消灯し初期状態に戻る。
【００２２】
図２は本発明の第２実施例のパチンコ遊技機で、遊技盤面を示す。
本第２実施例のパチンコ遊技機においては、遊技領域の上部に２個の始動入賞口７０、７１を有し、その下部に９個の小型チューリップ式可変入賞口装置７２、７２、、、、を設けてある。可変入賞口装置７２、、、、の両側には上部リセット入賞口７３を設けてある。この遊技領域上部における遊技は、例えば始動入賞口７１と７２に入賞することで９個の小型チューリップ式可変入賞口７２、７２、、、、が一斉に開放し、この開放された可変入賞口７２に遊技球が入賞し易くなり、入賞した入賞口７２は夫々閉止される。また一斉に開放中の入賞口７２も上部リセット入賞口７３に入賞すると可変入賞口７２が一斉に閉止されるようになっている。
【００２３】
上記の上部遊技領域の下部は前記実施例と同様、１６個の入球口７４が横一列に設けられた横一連入球口装置７５を設けてあり、その下部に箱型の大入賞口装置７６及び遊技領域の最下部にアウト口７７を設けてある。
上記のごとく上部遊技領域で最初のゲームが行なわれた後、遊技球は横一連入球口装置７５の案内部７８で案内されて、入球口７４が連設された横一連入球口装置７５の何れかの入球口７４を入球通過する。各入球口７４には、夫々球検知装置が設けられており、また球検知装置の検知によって発光する表示ランプが各入球口７４に設けてあり、１６個の入球口７４のうちの両端部の入球口が下部リセット口７４ａ、７４ａとなっている。
【００２４】
下部の大入賞口装置７６が開放する条件は、例えば横一連入球口装置７５の入球口７４の入球表示ランプが、両端部の下部リセット口７４ａ、７４ａを除いて全入球口７４に入球し表示ランプが発光した際、大入賞口装置７６が開放するように設けてあり、条件が揃うと大入賞口装置７６が開放して横一連入球口装置７５の各入球口７４、７４、、、、の点灯表示ランプが消え、初期状態に戻る。
また上記遊技が進行中に横一連入球口装置の両端部のリセット入球口７４ａ、７４ａに入球すると、それまで横一連入球口装置７５を通過した各入球口７４の入球履歴状態がリセットされ、それまで入球点灯していた入球表示ランプが初期状態に戻る。
【産業上の利用可能性】
【００２５】
本発明は、横一連入球口装置を遊技盤面に備えたパチンコ遊技機に最適なものである。
【図面の簡単な説明】
【００２６】
【図１】本発明の第１実施例を示すパチンコ遊技機の遊技盤正面図である。
【図２】本発明の第２実施例を示すパチンコ遊技機の遊技盤正面図である。
【図３】従来技術を示すパチンコ遊技機の正面図である。
【図４】従来技術を示すパチンコ遊技機の裏面図である。
【符号の説明】
【００２７】
５０  パチンコ遊技機の遊技盤
５１  遊技領域を形成する外レール
５２  遊技領域を形成する内レール
５３  遊技盤の遊技領域
５４  風車
５５  始動入賞口
５６  チューリップ式可変入賞口装置
５７  普通入賞口
５８  リセット入賞口
５９  液晶図柄表示装置
６０  障碍釘
６１  入球口
６２  横一連入球口装置
６３  横一連入球口装置の遊技球案内部
６４  箱型大入賞口
６５  アウト口
７１  始動入賞口
７２  始動入賞口
７３  リセット入賞口
７４  入球口
７４ａ  リセット入球口
７５  横一連入球口装置
７６  箱型大入賞口装置
７７  アウト口
【図１】
2005237510.tif 000003
【図２】
2005237510.tif 000004
【図３】
2005237510.tif 000005
【図４】
2005237510.tif 000006